(57)【要約】【課題】  枠体に複数本のルーバー羽根を一定間隔で配列したルーバー装置の提供。【解決手段】  上記枠体２の縦桟側には複数の駆動ギヤ１０，１０・・・を軸支すると共に、該駆動ギヤには上記ルーバー羽根３，３・・・を連結し、全ての駆動ギヤが同じ方向に回転してルーバー羽根の向きが変化するように中間ギヤ１１，１１・・・を介在して噛み合わせたギヤ群を構成している。【選択図】    図２
2020007811.tif 000002
【特許請求の範囲】
【請求項１】
枠体に複数本のルーバー羽根を一定間隔で配列したルーバー装置において、上記枠体の両縦桟側には複数の駆動ギヤを軸支すると共に、該駆動ギヤには上記ルーバー羽根を連結し、全ての駆動ギヤが同じ方向に回転してルーバー羽根の向きが変化するように中間ギヤを介在して噛み合わせたギヤ群を構成したことを特徴とするルーバー装置。
【請求項２】
上記縦桟に形成した空間に取付けたギヤケースのガイド溝に複数の連結ピースを嵌めて配列し、該連結ピースの基板に突出した一方の軸には駆動ギヤを取付け、他方の軸には必要に応じて中間ギヤを取付けた請求項１記載のルーバー装置。
【発明の詳細な説明】
【技術分野】
【０００１】
本発明は建具、扉、パーティションなどの一部に設けられるルーバー装置であり、該ルーバー装置を構成するルーバー羽根が回転してその向きを変えることが出来るようにしたものである。
【背景技術】
【０００２】
ルーバー装置には複数本のルーバー羽根が一定間隔をおいて取付けられ、各ルーバー羽根の間には隙間（空間）が設けられ、この隙間を空気が流れ、また、明かりが漏れる。上記ルーバー羽根は長手方向に設けた軸を中心として回転するように構成しているならば、その傾きを変えることで各ルーバー羽根間の隙間を増減して差し込む明かりを調整することが出来る。すなわち、ブラインドカーテンに類似した機能を備えている。
【０００３】
該ルーバー装置は建具、扉、パーティションなどの一部に設けられ、一般に閉じた状態で、内部が外から見えないよう構成され、しかも通気を確保するためにルーバー羽根が嵌込まれている。
一般にはプラスチック製ルーバー羽根であって、一体成形されるため安価でしかもドアの一部を切り欠いた部分に容易に取付けられる。
図１３はドア（イ）の下端部にルーバー装置（ロ）が備わっている場合の具体例である。同図に示すように、ルーバー装置は複数本のルーバー羽根（ハ）、（ハ）・・・が一定間隔で上下方向に配列し、各ルーバー羽根（ハ）、（ハ）・・・の間には隙間（空間）を設けている。
【０００４】
上記ルーバー羽根（ハ）、（ハ）・・・間の隙間から空気は流れるが、明りは通さないように適当な角度で傾斜している。
ところで、このルーバー装置（ロ）のルーバー羽根（ハ）、（ハ）・・・はドア本体（ニ）に固定され、その為に傾斜角度は不変であり、間に形成される隙間も一定である。したがって、外から採り入れる明りや空気の量を調整することは出来ない。
【０００５】
特開２００７−６３９６０号に係る「ルーバーシステム」は、０°から１８０°までの範囲にわたって回転できるルーバー羽根を有し、これにより室内への採光を十分に行うことができ、かつプライバシー保護を確実に行うことができるようにしている。
ところで、ルーバーシステムは一対の支持枠と一対の支持枠間に配置され、一対の支持枠により回転自在に保持された複数のルーバー羽根と、一方の支持枠内に設けられて各ルーバー羽根を回転自在に支持する軸受けと、他方の支持枠内に設けられて各ルーバー羽根を駆動する駆動歯車とを備えている。
他方の支持枠内の長手方向には回転自在の駆動シャフトが延在して設けられており、駆動シャフトには各駆動歯車に対応して配置されるとともに、各駆動歯車を回転させる複数のウォームが設けられている。
【０００６】
そこで、駆動シャフトが回転するならば、駆動シャフトに取付けているウォームの回転にてルーバー羽根が回転してその傾斜角度が変わり、外から差し込む明りが調整される。  勿論、ルーバー羽根の間に形成される隙間も変わり、該隙間を流れる空気の量も調整される。
【特許文献１】特開２００７−６３９６０号に係る「ルーバーシステム」
【発明の開示】
【発明が解決しようとする課題】
【０００７】
このように、ルーバー羽根が回転して傾斜角度を変えることが出来るようにしたルーバー装置は知られているが、特開２００７−６３９６０号に係る「ルーバーシステム」のように、モーターを動力源として回転する駆動シャフトに設けたウォームでルーバー羽根を回転する構造では複雑であって、製作費が嵩み、ドアや引戸の一部に手軽に取付けることは出来ない。
本発明が解決しようとする課題はこの問題点であり、簡単な構造でもってルーバー羽根の傾斜角度を調整することが出来るルーバー装置を提供する。
【課題を解決するための手段】
【０００８】
本発明のルーバー装置は、複数本のルーバー羽根が一定間隔をもって上下方向に配列している。そして、各ルーバー羽根は両先端が軸支されて回転することで傾斜角度を変えることが出来るように構成している。
一定間隔をおいて配列した複数本のルーバー羽根は、その両先端が駆動ギヤと連結している。縦桟の空間にはギヤケースが取付けられ、このギヤケースに形成したガイド溝には複数の連結ピースが嵌り、連結ピースの表面から起立した２本の軸には上記駆動ギヤと中間ギヤが取付けられる。
【０００９】
駆動ギヤには嵌入部が設けられ、該嵌入部はルーバー羽根の先端に嵌入して支持することが出来る。上記ガイド溝に嵌った複数の連結ピースは位置ズレすることなく上下方向に配列され、軸に取付けられた駆動ギヤも一定間隔に配置される。
そして、駆動ギヤに設けた嵌入部に嵌って取付けたルーバー羽根は一定間隔をおいて互いに平行に配列される。上記駆動ギヤが回転するならばルーバー羽根も回転し、その傾斜角度を変えることが出来る。
【００１０】
ところで、上記連結ピースに起立した２本の軸には上記駆動ギヤと中間ギヤが嵌って取付けられ、中間ギヤと駆動ギヤは互いに噛み合っている。ガイド溝に嵌って配列している隣の連結ピースの２本の軸にも同じく駆動ギヤと中間ギヤが嵌って取付けられ、その為に各連結ピースの軸に取付けた駆動ギヤの間には中間ギヤが介在して互いに噛み合うことになる。
【００１１】
そこで、ルーバー羽根に指を掛けて回転し、その向き（傾斜角度）を変えるならば駆動ギヤは回転し、該駆動ギヤと噛み合っている中間ギヤが回転する。そして、中間ギヤは隣の駆動ギヤを回転し、隣接するルーバー羽根は同じ方向の同一角度だけ回転し、その向き（傾斜角度）を変えることが出来る。
すなわち、本発明のルーバー装置は、両縦桟側に複数の駆動ギヤが設けられてルーバー羽根を支持し、複数の駆動ギヤの回転の回転方向が一定化するように間に中間ギヤを介在したギヤ群を構成している。
【発明の効果】
【００１２】
本発明のルーバー装置は、複数本のルーバー羽根が一定間隔をおいて互いに平行に配列している。そして、各ルーバー羽根は回転して向きを変えることが出来る。その為に各ルーバー羽根の間に形成される隙間を調整することが出来、空気の流れ並びに差し込む明かりを調整することが可能となる。
ところで、ルーバー羽根の両先端には連結ピースに起立する軸に嵌って取付けた駆動ギヤの嵌入部が嵌入して取付けられ、該駆動ギヤには中間ギヤが噛み合うように一連のギヤ群を構成している。したがって、１本のルーバー羽根の向きを変えることで、他のルーバー羽根の向きも同じ方向に同じ角度だけ回転して変わる。
【００１３】
そして、連結ピースは縦桟の空間に設けたギヤケースの長手方向に設けたガイド溝に嵌められ、この連結ピースに起立した軸に駆動ギヤに設けた嵌入部をルーバー羽根の先端に嵌入することで簡単に取付けられる。その為に、ルーバー羽根は一定間隔で配列し、ルーバー装置は簡単に製作出来る。
また、ルーバー羽根の回転にモーターを用いることなく指で操作することで、所定の本数のルーバー羽根を回転してその向きを適当に変えて、明かりを取り入れることが可能である。
【図面の簡単な説明】
【００１４】
【図１】本発明に係るルーバー装置の正面図。
【図２】図１のＡ−Ａ断面拡大図。
【図３】図１の縦断面図で、ルーバー羽根の回転領域。
【図４】ルーバー羽根を示す具体例。
【図５】先端に嵌入部を備えた駆動ギヤの具体例。
【図６】中間ギヤを示す具体例。
【図７】連結ピースを示す具体例。
【図８】ギヤケースを示す断面図。
【図９】ギヤケースのガイド溝に嵌って配列している連結ピース。
【図１０】駆動ギヤと中間ギヤが互いに噛み合って配列しているギヤ群。
【図１１】図１０に示すギヤ群の側面図。
【図１２】複数のルーバー羽根が起立して状態のルーバー羽根群。
【図１３】ルーバー装置を備えた一般的なドアの正面図。
【発明を実施するための形態】
【００１５】
図１は本発明のルーバー装置１の正面図である。ルーバー装置１は四角形の枠体２に複数本のルーバー羽根３，３・・・が一定間隔をおいて互いに平行に配列して構成され、各ルーバー羽根３，３・・・は回転してその向き（傾き）を変えることが出来るように軸支されている。
ところで、該ルーバー装置１は一般的にドアや引戸に設けた開口に嵌って取付けられ、ルーバー羽根３，３・・・の向きを変えて空気の流れを調整し、また明かりの差し込みを調整することが出来る。
【００１６】
図２は図１のＡ−Ａ断面拡大図を、図３は図１における縦断面拡大図をそれぞれ表わしている。
同図の３はルーバー羽根、４ａ，４ｂは枠体２を構成する縦桟、５ａ，５ｂは横桟を表し、枠体２は縦桟４，４と横桟５，５とで四角形に枠組みされるが、該縦桟４は対を成す縦桟４ａと縦桟４ｂから成り、横桟５は対を成す５ａ，５ｂから成っている。すなわち、ドア本体６に設けた開口に縦桟４ａ、４ａと縦桟４ｂ，４ｂに嵌り、同じく横桟５ａ，５ａ，５ｂ，５ｂが嵌って該ドア本体６を挟むように取付けられる。
【００１７】
そして、両縦桟４，４の間にルーバー羽根３，３・・・が一定間隔をおいて水平に配列していて、ルーバー羽根３，３・・・は回転して間に形成される隙間を増減することが出来る。
図４はルーバー羽根３を示す具体例であり、その断面は平行四辺形を成し、内部には中央穴７が設けられ、中央穴７の両側には側穴８，８を設けている。ルーバー羽根３は平行四辺形断面の長尺材であり、その為に中央穴７及び側穴８，８は長手方向に連続している。
【００１８】
縦桟４ａ，４ｂの間に形成される空間９には複数の駆動ギヤ及び中間ギヤが互いに噛み合った状態で上下方向に配列している。図５は駆動ギヤ１０を示す具体例であり、図６は中間ギヤ１１の具体例を表している。
上記駆動ギヤ１０はギヤ１２から延びる軸１３の先端に嵌入部１４を有している。該嵌入部１４は中央部１５とその両側に側部１６，１６を設けている。ギヤ１２と嵌入部１４は軸１３を介して繋がっていることで、ギヤ１２が回転するならば、嵌入部１４も同時に回転することに成る。
【００１９】
そして、駆動ギヤ１０には嵌入穴１７を有し、同じく図６に示す中間ギヤ１１にも嵌入穴１８を設けている。
図７は連結ピース１９を示す具体例である。該連結ピース１９は基板２０に２本の軸２１，２２が起立している。そして、基板２０の下端には凸部２３が、上端には凹部２４が形成されている。そして、凹部２４に隣接する他の連結ピース１９の基板２０に形成している凸部２３が嵌るようにしている。
【００２０】
ところで、上記図２に示すように、縦桟４の空間９には図８に示す断面を有すギヤケース２５が嵌合し、このギヤケース２５に形成しているガイド溝２６には連結ピース１９，１９・・・の基板２０，２０・・・が上下方向に配列して嵌合している。ガイド溝２６に嵌って配列した基板２０，２０・・・は、軸２１，２２・・・を内側に向いて突出し、この軸２１は嵌入穴１８に嵌って中間ギヤ１１が取付けられる。そして、軸２２は嵌入穴１７に嵌って駆動ギヤ１０が取付けられる。
【００２１】
図９は連結ピース１９，１９・・・がギヤケース２５のガイド溝２６に嵌って上下方向に配列した状態であり、個々の連結ピース１９，１９・・・には２本の軸２２と軸２１が突出し、この軸２２に駆動ギヤ１０が取付けられ、軸２１には中間ギヤ１１が取付けられる。複数の連結ピース１９，１９・・・が配列することで、軸２２と軸２１とが交互に配列され、これら各軸２２，２１に取付けられる駆動ギヤ１０と中間ギヤ１１とは噛み合って交互に配列する。
【００２２】
図１０は駆動ギヤ１０と中間ギヤ１１とが交互に取付けられて配列しているギヤ群を構成している場合を示している。これらギヤ群の配列形態は駆動ギヤ１０、中間ギヤ１１、駆動ギヤ１０、中間ギヤ１１・・・のように、駆動ギヤ１０と中間ギヤ１１とが噛み合った状態で交互に配列される。すなわち、駆動ギヤ１０，１０・・・の間に中間ギヤ１１、１１・・・が介在する配列形態としている。従って、駆動ギヤ１０，１０・・・は全て同じ方向に回転することが出来る。
【００２３】
図１１は図１０に示すギヤ群の側面図を表しているが、上記駆動ギヤ１０，１０・・・からは軸１３が延びて先端には嵌入部１４を設けている。該嵌入部１４は駆動ギヤ１０と共に回転し、その為に嵌入部１４が嵌入して連結するルーバー羽根３は同じ方向に回転することが出来る。
ところで、ルーバー羽根３は前記図４に示しているように、中央穴７とその両側に側穴８，８を貫通して長尺材であり、嵌入部１４の中央部１５は中央穴７に嵌り、側部１６，１６は側穴８，８に嵌ることが出来、ルーバー羽根３は駆動ギヤ１０と共に回転する。
【００２４】
そこで、駆動ギヤ１０，１０・・・が回転するならば、嵌入部１４，１４・・・にてルーバー羽根３，３・・・は回転し、その向き（傾斜角）を変えることが出来る。ここで、駆動ギヤ１０，１０・・・の間に中間ギヤ１１，１１・・・が介在して互いに噛み合っていることで、ギヤ群を構成している全ての駆動ギヤ１０，１０・・・の回転方向は一定し、全てのルーバー羽根３，３・・・の回転向きも同じになる。
【００２５】
図１２はルーバー羽根３，３・・・が起立している場合であり、各ルーバー羽根３，３・・・間の隙間は小さくなる。この起立しているルーバー羽根３，３・・・が同図において左方向（反時計方向）に回転するならば、各ルーバー羽根３，３・・・間の隙間は拡大する。前記図２はルーバー羽根３が倒れた水平状態であり、ルーバー羽根３，３・・・間の隙間は最も大きくなり、各隙間から空気が通過すると共に明かりを射し込むことが出来る。
【００２６】
ところで、本発明のルーバー装置１は複数本のルーバー羽根３，３・・・を有し、ルーバー羽根３，３・・・は回転してその向き（傾斜角）を変えることが出来るように構成している。この場合、全てのルーバー羽根３，３・・・が同時に回転するように構成する場合、又は一部のルーバー羽根３，３・・・のみが回転するように構成することも出来る。例えば、ルーバー羽根群を上部と下部とに分け、上部のルーバー羽根群のみを回転して向きを変え、下部のルーバー羽根群から切り離した構造とすることが出来る。
このようなルーバー装置１にするには、上部のルーバー羽根群と下部のルーバー羽根群とが連動しないように中間ギヤを省くことで可能となる。
また、ルーバー装置１を上部ルーバー羽根群、中間ルーバー羽根群、下部ルーバー羽根群の３分割して構成する場合もある。
【００２７】
ルーバー羽根３，３・・・を回転してその向きを変える為に、縦桟４に設けた空間９に嵌るギヤケース２５には駆動ギヤ１０，１０・・・が配列し、その間には中間ギヤ１１，１１・・・が介在している。そこで、１本のルーバー羽根３に指を掛けて回すならば、配列した駆動ギヤ１０，１０・・・、及び中間ギヤ１１，１１・・・にて他のルーバー羽根３，３・・・も回転して向きを変えることが出来る。
ここで、両縦桟側に駆動ギヤ１０と中間ギヤ１１とが互いに噛み合うギヤ群を構成するが、両縦桟側を全く同じギヤ群機構とする必要はない。
【００２８】
ギヤケース２５のガイド溝２６には複数の連結ピース１９，１９・・・が配列している。この連結ピース１９，１９・・・に起立している軸２２，２２・・・には駆動ギヤ１０，１０・・・を嵌めて取付け、該駆動ギヤ１０，１０・・・の先端に設けた嵌入部１４，１４・・・にルーバー羽根３，３・・・が取付けられる。しかし、連結ピース１９，１９・・・の軸２１，２１・・・に中間ギヤ１１，１１・・・を取付けなければ、駆動ギヤ１０，１０・・・を回転することは出来ない。
したがって、中間ギヤ１１，１１・・・を左右の縦桟交互に省略することも可能であり、駆動ギヤ１０と中間ギヤ１１の噛み合い抵抗を軽減することが出来る。
【符号の説明】
【００２９】
１   ルーバー装置
２   枠体
３   ルーバー羽根
４   縦桟
５   横桟
６   ドア本体
７   中央穴
８   側穴
９   空間
10   駆動ギヤ
11   中間ギヤ
12   ギヤ
13   軸
14   嵌入部
15   中央部
16   側部
17   嵌入穴
18   嵌入穴
19   連結ピース
20   基板
21  軸
22  軸
23  凸部
24  凹部
25  ギヤケース
26  ガイド溝
【図１】
2020007811.tif 000003
【図２】
2020007811.tif 000004
【図３】
2020007811.tif 000005
【図４】
2020007811.tif 000006
【図５】
2020007811.tif 000007
【図６】
2020007811.tif 000008
【図７】
2020007811.tif 000009
【図８】
2020007811.tif 000010
【図９】
2020007811.tif 000011
【図１０】
2020007811.tif 000012
【図１１】
2020007811.tif 000013
【図１２】
2020007811.tif 000014
【図１３】
2020007811.tif 000015